(57)【要約】【課題】制御系統または制御方法を複雑にしなくても複数の発光素子の発光特性をできるだけ均等化することができる発光装置を提供する。【解決手段】発光装置１０は、基板１２上に配列された複数の発光素子１４，１５と、基板１２上に並べられ、発光素子１４，１５にそれぞれ電気的に接続され、対応する発光素子１４を発光させるための駆動信号を供給する複数の駆動配線３１，３３を備える。さらに発光装置１０は、ダミー配線５１，５３を備える。ダミー配線５１，５３は、複数の駆動配線３１，３３が並べられた列の外に配置されて、駆動配線３１，３３に対して並ぶように基板１２上に配置され、発光素子１４，１５の発光に寄与しない。【選択図】図２
2007184125.tif 000002
【特許請求の範囲】
【請求項１】
基板と、
前記基板上に配列された複数の発光素子と、
前記基板上に並べられ、前記発光素子にそれぞれ電気的に接続され、対応する発光素子
を発光させるための駆動信号を供給する複数の駆動配線と、
複数の前記駆動配線が並べられた列の外に配置されて、前記駆動配線に対して並ぶよう
に前記基板上に配置され、導電体から形成され、前記発光素子の発光に寄与しないダミー
配線とを備えることを特徴とする発光装置。
【請求項２】
前記駆動配線はほぼ等間隔で並べられ、前記ダミー配線はこれに最も近い駆動配線から
前記駆動配線同士の間隔とほぼ等しい間隔をおいて配置されていることを特徴とする請求
項１に記載の発光装置。
【請求項３】
前記発光素子と同じ構造を有し駆動信号が供給されないダミー素子が、複数の前記発光
素子が並べられた列の外に配置されて、前記発光素子に対して並ぶように前記基板上に配
置され、前記ダミー配線が前記ダミー素子に電気的に接続されていることを特徴とする請
求項１または請求項２に記載の発光装置。
【請求項４】
複数の前記駆動配線が並べられた列の外の少なくとも一方側に、導電体から形成され、
前記発光素子の発光に寄与しない複数のダミー配線が並べられていることを特徴とする請
求項１または請求項３に記載の発光装置。
【請求項５】
前記基板には、前記発光素子を駆動するための他の装置と電気的に接続される複数の実
装端子が配置され、
複数の前記実装端子はそれぞれ複数の駆動配線に電気的に接続されており、
複数の前記実装端子は複数の群に分類され、これらの群は間隔をおいて互いに離間して
おり、これらの群同士の間隔よりも小さいほぼ等しい間隔で各群内の実装端子が並べられ
、
実装端子の群に対応する駆動配線の群の各々の外の両側の各々に、前記駆動配線に対し
て並ぶように、導電体から形成され、前記発光素子の発光に寄与しないダミー配線が前記
基板上に配置されていることを特徴とする請求項１から請求項４のいずれか１項に記載の
発光装置。
【請求項６】
像担持体と、
前記像担持体を帯電する帯電器と、
複数の前記発光素子が配列され、前記像担持体の帯電された面に複数の前記発光素子に
より光を照射して潜像を形成する請求項１から請求項５のいずれか１項に記載の発光装置
と、
前記潜像にトナーを付着させることにより前記像担持体に顕像を形成する現像器と、
前記像担持体から前記顕像を他の物体に転写する転写器とを備える画像印刷装置。
【発明の詳細な説明】
【技術分野】
【０００１】
本発明は、発光装置およびこれを有する電子写真方式の画像印刷装置に関する。
【背景技術】
【０００２】
基板上に多数のエレクトロルミネッセント（ＥＬ）が設けられた発光装置が知られてい
る。ＥＬ素子は、電界により励起して自己発光する。また、多数のＥＬ素子を配列したラ
インヘッドを露光手段すなわち潜像書き込み器として用いる電子写真方式の画像印刷装置
が開発されている（特許文献１）。つまり、このラインヘッドによって、例えば感光体ド
ラムなどの像担持体に光を照射し、像担持体の表面に潜像を形成することができる。潜像
には、トナーが付着して顕像を形成し、この顕像は例えば紙のシートのような他の物体に
転写される。
【０００３】
【特許文献１】特開平４−３４８９６３号公報
【発明の開示】
【発明が解決しようとする課題】
【０００４】
このような潜像書き込み器では、ＥＬ素子が配置された基板に、これらのＥＬ素子を発
光させるための駆動信号を供給する複数の駆動配線が並べられている。駆動配線の各々お
よびこれに隣合う駆動配線の間には寄生容量が発生する。この寄生容量は、駆動配線を流
れる電流ひいてはＥＬ素子の発光特性に影響する。駆動配線の列のうち、端にある駆動配
線は他の駆動配線による寄生容量から受ける影響が小さいのに対して、端にない駆動配線
は他の駆動配線による寄生容量の影響が大きい。従って、駆動配線の列のうち端にある駆
動配線に対応するＥＬ素子は、他のＥＬ素子と異なる発光特性を呈する。このことは、潜
像ひいては顕像においても、両端と他の部分では品質が異なるという不利益をもたらす。
【０００５】
この欠点を抑制するために、両端のＥＬ素子に駆動信号を与える時間と、他のＥＬ素子
に駆動信号を与える時間を変えることが考えられるが、それでは制御系統または制御方法
が複雑になる。
【０００６】
そこで、本発明は、制御系統または制御方法を複雑にしなくても複数の発光素子の発光
特性をできるだけ均等化することができる発光装置およびこれを有する画像印刷装置を提
供する。
【課題を解決するための手段】
【０００７】
本発明に係る発光装置は、基板と、前記基板上に配列された複数の発光素子と、前記基
板上に並べられ、前記発光素子にそれぞれ電気的に接続され、対応する発光素子を発光さ
せるための駆動信号を供給する複数の駆動配線と、複数の前記駆動配線が並べられた列の
外に配置されて、前記駆動配線に対して並ぶように前記基板上に配置され、導電体から形
成され、前記発光素子の発光に寄与しないダミー配線とを備える。
【０００８】
本発明によれば、発光素子の発光に寄与しないダミー配線が、駆動配線の列の外に配置
されて、駆動配線に対して並ぶように基板上に配置されているので、駆動配線の列のうち
、端にある駆動配線は他の駆動配線だけでなくダミー配線による寄生容量から影響を受け
、この影響は、端にない駆動配線が他の駆動配線による寄生容量から受ける影響と近似す
る。従って、制御系統または制御方法を複雑にしなくても、複数の発光素子、特に端にあ
る発光素子と他の発光素子の発光特性をできるだけ均等化することができる。
【０００９】
前記駆動配線はほぼ等間隔で並べられ、前記ダミー配線はこれに最も近い駆動配線から
前記駆動配線同士の間隔とほぼ等しい間隔をおいて配置されていると好ましい。
駆動配線はほぼ等間隔で並べられているので、端にない一つの駆動配線がその隣の二つ
の駆動配線から受ける寄生容量の影響は、端にない他の一つの駆動配線がその隣の二つの
駆動配線から受ける寄生容量の影響と、ほぼ等しい。ダミー配線とこれに最も近い駆動配
線（つまり端にある駆動配線）の間隔を、駆動配線同士の間隔とほぼ等しくすることによ
り、端にある駆動配線がその隣の駆動配線とダミー配線から受ける寄生容量の影響は、端
にない一つの駆動配線がその隣の二つの駆動配線から受ける寄生容量の影響と、ほぼ等し
い。従って、さらに発光素子の発光特性を均等化することができる。
【００１０】
さらに、前記発光素子と同じ構造を有し駆動信号が供給されないダミー素子が、複数の
前記発光素子が並べられた列の外に配置されて、前記発光素子に対して並ぶように前記基
板上に配置され、前記ダミー配線が前記ダミー素子に電気的に接続されていると好ましい
。
発光素子の各々およびこれに隣合う発光素子の間にも寄生容量が発生する。ダミー素子
がない場合には、発光素子の列のうち、端にある発光素子は他の発光素子による寄生容量
から受ける影響が小さいのに対して、端にない発光素子は他の発光素子による寄生容量の
影響が大きい。ダミー素子が、発光素子の列の外に配置されて、発光素子に対して並ぶよ
うに基板上に配置されることにより、発光素子の列のうち、端にある発光素子は他の発光
素子だけでなくダミー素子による寄生容量から影響を受け、この影響は、端にない発光素
子が他の発光素子による寄生容量から受ける影響と近似する。従って、さらに発光素子の
発光特性を均等化することができる。
【００１１】
また、複数の前記駆動配線が並べられた列の外の少なくとも一方側に、導電体から形成
され、前記発光素子の発光に寄与しない複数のダミー配線が並べられていると好ましい。
駆動配線の列内で各駆動配線は最も近い他の駆動配線から最も大きな寄生容量の影響を
受けるが、さらに他の駆動配線からも寄生容量の影響を受ける。従って、ダミー配線がな
い場合には、端にある駆動配線と他の駆動配線では、受ける寄生容量の影響が異なる。駆
動配線の列の外の少なくとも一方側に、複数のダミー配線を配置することにより、ダミー
配線に最も近い端にある駆動配線と他の駆動配線の条件が近似し、さらに発光素子の発光
特性を均等化することができる。
【００１２】
さらに、前記基板には、前記発光素子を駆動するための他の装置と電気的に接続される
複数の実装端子が配置され、複数の前記実装端子はそれぞれ複数の駆動配線に電気的に接
続されており、複数の前記実装端子は複数の群に分類され、これらの群は間隔をおいて互
いに離間しており、これらの群同士の間隔よりも小さいほぼ等しい間隔で各群内の実装端
子が並べられ、実装端子の群に対応する駆動配線の群の各々の外の両側の各々に、前記駆
動配線に対して並ぶように、導電体から形成され、前記発光素子の発光に寄与しないダミ
ー配線が前記基板上に配置されていると好ましい。
基板上に配置された複数の実装端子は、各群に分類され、これらの群は大きい間隔をお
いて互いに離間し、各群内では小さい間隔で実装端子が並べられている。実装端子の群に
対応する駆動配線の群の外の両側の各々に、ダミー配線が配置されることにより、各群の
端にある駆動配線と他の駆動配線の条件が近似し、発光素子の発光特性を均等化すること
ができる。
【００１３】
本発明に係る画像印刷装置は、像担持体と、前記像担持体を帯電する帯電器と、複数の
前記発光素子が配列され、前記像担持体の帯電された面に複数の前記発光素子により光を
照射して潜像を形成する前記の発光装置と、前記潜像にトナーを付着させることにより前
記像担持体に顕像を形成する現像器と、前記像担持体から前記顕像を他の物体に転写する
転写器とを備える。つまり、本発明に係る画像印刷装置は、電子写真方式を利用したプリ
ンタ、または複写機もしくはファクシミリの画像印刷部分である。
【発明を実施するための最良の形態】
【００１４】
以下、添付の図面を参照しながら本発明に係る様々な実施の形態を説明する。図面にお
いては、各部の寸法の比率は実際のものとは適宜に異ならせてある。
＜第１の実施の形態＞
【００１５】
図１は、本発明の第１の実施の形態に係る発光装置１０の概略を示す平面図である。図
１に例示された発光装置１０は、電子写真方式を利用した画像印刷装置における像担持体
（例えば感光体ドラム）に静電潜像を書き込むためのライン型の光ヘッドとして用いられ
る。発光装置１０は、複数の発光素子１４，１５が同一平面上に配列された基板１２を備
える。
【００１６】
この実施の形態で、発光素子１４，１５は有機ＥＬ素子または無機ＥＬ素子であり、各
発光素子１４，１５は印加された電圧に応じて発光する。発光素子１４，１５は、二列か
つ千鳥状のパターンで配列されている。具体的には、基板１２上には、複数の発光素子１
４が並べられた第１の列と、複数の発光素子１５が並べられた第２の列がある。但し、発
光素子１４，１５の配列パターンは図示の形態に限定されず、単列または三列以上でもよ
いし他の適切なパターンで配列されていてもよい。基板１２の長手方向（図１の横方向）
が光ヘッドの主走査方向、図１の縦方向が副走査方向である。
【００１７】
詳細な図示は省略するが、当業者に公知なように、発光素子１４，１５の各々は、陽極
、陰極１６およびこれらに挟まれた発光機能層を有する。この実施の形態では、発光素子
１４，１５の各々が独立した画素電極として陽極を有しており、陰極１６はすべての発光
素子１４，１５にわたって形成されて、すべての発光素子１４，１５に共通する共通電極
である（以下、陰極１６を共通陰極１６と呼ぶ）。図示しない陽極は基板１２に近い層に
形成され、共通陰極１６は基板１２に遠い層に形成されている。つまり、図１の紙面垂直
方向の最も奥に基板１２があり、それよりも手前に陽極があり、その手前に発光機能層が
あり、その手前に共通陰極１６がある。
【００１８】
図示しない発光機能層は少なくとも発光層を有する。発光層の材料は有機ＥＬ物質また
は無機ＥＬ物質である。有機ＥＬ物質は、低分子材料であってもよいし、高分子材料であ
ってもよい。発光素子１４，１５が有機ＥＬ素子の場合には、発光機能層は、発光層のほ
か、正孔注入層、正孔輸送層、電子輸送層、電子注入層、正孔ブロック層、および電子ブ
ロック層の一部又は全部を備えていてもよい。発光素子１４，１５が無機ＥＬ素子の場合
には、発光機能層は、発光層のほか、絶縁層を備えている。発光素子１４，１５の各々が
独立した発光機能層を有していてもよいし、発光素子１４，１５のすべてに共通する発光
機能層が形成されていてもよい。また、この発光装置１０は、発光機能層からの光が基板
１２を通じて外部に放出されるボトムエミッションタイプであってもよいし、発光機能層
からの光が基板１２と反対側に放出されるトップエミッションタイプであってもよい。
【００１９】
これらの発光素子１４，１５が有機ＥＬ素子である場合には、発光素子１４，１５は封
止体１８によって覆われる。封止体１８は基板１２と協働して発光素子１４，１５を空気
または水分から保護する。封止の手法としては、公知の手法、例えば、缶封止、薄膜封止
のいずれであってもよい。
【００２０】
基板１２は矩形の薄板であり、その長い方の一方の端縁には、Ｎ個の端子群２０Ａ，２
０Ｂ，．．．２０Ｎが形成され、長い方の他方の端縁には、Ｎ個の端子群２２Ａ，２２Ｂ
，．．．２２Ｎが形成されている。端子群２０Ａ，２０Ｂ，．．．２０Ｎの各々は複数の
（ｎ個の）実装端子２１を有する。つまり、多数の実装端子２１は複数の端子群２０Ａ，
２０Ｂ，．．．２０Ｎに分類されている。数Ｎは数ｎと同じでもよいし違ってもよい。こ
れらの端子群２０Ａ，２０Ｂ，．．．２０Ｎは間隔をおいて互いに離間しており、ほぼ等
しい間隔で各端子群内のｎ個の実装端子２１が平行に並べられている。隣り合う端子群２
０Ａ，２０Ｂ，．．．２０Ｎ同士の間隔よりも、各端子群内の隣り合う実装端子２１の間
隔は小さい。
【００２１】
また、端子群２２Ａ，２２Ｂ，．．．２２Ｎの各々は複数の（ｎ個の）実装端子２３を
有する。つまり、多数の実装端子２３は複数の端子群２２Ａ，２２Ｂ，．．．２２Ｎに分
類されている。これらの端子群２２Ａ，２２Ｂ，．．．２２Ｎは間隔をおいて互いに離間
しており、ほぼ等しい間隔で各端子群内のｎ個の実装端子２３が平行に並べられている。
隣り合う端子群２２Ａ，２２Ｂ，．．．２２Ｎ同士の間隔よりも、各端子群内の隣り合う
実装端子２３の間隔は小さい。実装端子２１，２３は、同じ導電材料から同厚、同形かつ
同大に形成され、基板１２の長手方向に対して垂直に延びている。
【００２２】
図２は、第１の実施の形態に係る発光装置１０での配線群の詳細を示す平面図であり、
ここでは、共通陰極１６および封止体１８が形成されていない状態を示す。図２に示すよ
うに、端子群２０Ａ，２０Ｂ，．．．２０Ｎの実装端子２１（２１ａ〜２１ｎ）は、それ
ぞれ駆動配線３１（３１ａ〜３１ｎ）を介して発光素子１４（１４ａ〜１４ｎ）に電気的
に接続されている。端子群２２Ａ，２２Ｂ，．．．２２Ｎの実装端子２３（２３ａ〜２３
ｎ）は、それぞれ駆動配線３３（３３ａ〜３３ｎ）を介して発光素子１５（１５ａ〜１５
ｎ）に電気的に接続されている。添え字ａ〜ｎは、実装端子、駆動配線および発光素子の
対応を表す。駆動配線３１，３３は、発光素子１４，１５の陽極に接しており、実装端子
２１，２３は発光素子１４，１５に発光のための駆動信号としての高電位を供給する。
【００２３】
実装端子２１，２３は、発光素子１４，１５を駆動するために、駆動信号を生成する駆
動回路（図示せず）と電気的に接続される。これらの駆動回路はＩＣ（集積回路）として
形成されており、ＯＬＢ（outer  lead  bonding）またはＣＯＧ（chip  on  glass）に
より実装端子２１，２３に電気的に接続される。
【００２４】
他方、図１に示すように、発光素子１４，１５の共通陰極１６は実装端子２６，２７に
接続されている。実装端子２６，２７は、発光素子１４，１５に低電位、例えばグラウン
ド電位を供給する。図示しない低電位供給配線が、ＯＬＢまたはＣＯＧにより実装端子２
６，２７に電気的に接続される。
【００２５】
以下、端子群２０Ａ，２０Ｂ，．．．２０Ｎ，２２Ａ，２２Ｂ，．．．２２Ｎにそれぞ
れ対応する駆動配線の群を駆動配線群３０Ａ，３０Ｂ，．．．３０Ｎ，３２Ａ，３２Ｂ，
．．．３２Ｎと呼ぶ（図２参照）。端子群の各々は、ｎ本の駆動配線３１または３３を有
する。これらの駆動配線３１，３３は、同じ導電材料から同厚かつ同幅に形成されている
。
【００２６】
端子群２０，２２の各々の幅（その端子群内の実装端子２１ａと２１ｎの間隔または実
装端子２３ａと２３ｎの間隔）は、その端子群に対応する発光素子１４ａと１４ｎの間隔
または発光素子１５ａと１５ｎの間隔よりも小さい。このため、駆動配線群３０の各々で
は、駆動配線３１ａ〜３１ｎの間隔は、実装端子２１ひいては基板１２の端縁に近いほど
小さく、発光素子１４ひいては基板１２の中央に近いほど大きい。駆動配線群３２の各々
では、駆動配線３３ａ〜３３ｎの間隔は、実装端子２３ひいては基板１２の端縁に近いほ
ど小さく、発光素子１５ひいては基板１２の中央に近いほど大きい。より具体的には、駆
動配線３１，３３の各々は、発光素子１４または１５側にある真っ直ぐな平行部分と、実
装端子２１，２３側にある真っ直ぐな間隔変化部分を有する。これらの駆動配線３１また
は３３の平行部分は、互いに平行かつ基板１２の長手方向に対して垂直に延び、隣り合う
平行部分同士の間隔は一様である。他方、駆動配線３１または３３の間隔変化部分の間隔
は、実装端子２１，２３に近いほど小さく、発光素子１４，１５に近いほど大きい。駆動
配線群３０，３２の各々においては、中央の駆動配線の間隔変化部分は、実装端子２１，
２３と同様に基板１２の長手方向に対して垂直に延びている一方、端の方の駆動配線の間
隔変化部分は、実装端子２１，２３に対して傾斜し、両最端の駆動配線３１ａ，３１ｎま
たは３３ａ，３３ｎの間隔変化部分は、実装端子２１，２３に対して大きく傾斜する。
【００２７】
隣り合う駆動配線群の互いに最も近い駆動配線（例えば、駆動配線群３０Ａの駆動配線
３１ｎと駆動配線群３０Ｂの駆動配線３１ａ）の平行部分同士の間隔は、駆動配線群内の
隣り合う平行部分同士の間隔と等しい。従って、隣り合ういずれの駆動配線の平行部分同
士の間隔も、一様である。
【００２８】
また、駆動配線群３０，３２の各々においては、駆動配線３１または３３は等間隔で並
べられている。ここでいう等間隔とは、基板１２の長手方向に延びる任意の直線上で計っ
た駆動配線群内の駆動配線のピッチが等しいことをいう。つまり、駆動配線３１または３
３の平行部分同士の間隔が一様なだけではなく、（駆動配線３１または３３の間隔変化部
分同士の間隔は基板１２の長い側端からの距離により変化するとはいえ、）基板１２の長
い側端から一定距離にある直線上で計った間隔変化部分同士の間隔は等しい。
【００２９】
さらに発光装置１０は、ダミー端子４１，４３およびダミー配線５１，５３を備える。
二つのダミー端子４１は、基板１２の長い方の一方の端縁における多数の実装端子２１が
並べられた列の外側、つまり端子群２０Ａ，２０Ｂ，．．．２０Ｎの外側の二箇所にそれ
ぞれ配置されている。他の二つのダミー端子４３は、基板１２の長い方の他方の端縁にお
ける多数の実装端子２３が並べられた列の外側、つまり端子群２２Ａ，２２Ｂ，．．．２
２Ｎの外側の二箇所にそれぞれ配置されている。ダミー端子４１，４３は、実装端子２１
，２３と同じ導電材料から同厚、同形かつ同大に形成され、基板１２の長手方向に対して
垂直に延びている。
【００３０】
一方のダミー端子４１は、これに最も近い実装端子（端子群２０Ａの実装端子２１ａ）
から実装端子２１同士の間隔と等しい間隔をおいて配置され、他方のダミー端子４１は、
これに最も近い実装端子（端子群２０Ｎの実装端子２１ｎ）から実装端子２１同士の間隔
と等しい間隔をおいて配置されている。一方のダミー端子４３は、これに最も近い実装端
子（端子群２２Ａの実装端子２３ａ）から実装端子２３同士の間隔と等しい間隔をおいて
配置され、他方のダミー端子４３は、これに最も近い実装端子（端子群２２Ｎの実装端子
２３ｎ）から実装端子２３同士の間隔と等しい間隔をおいて配置されている。
【００３１】
ダミー配線５１，５３は、これらのダミー端子４１，４３にそれぞれ電気的に接続され
ている。ダミー配線５１，５３は、駆動配線３１，３３と同じ導電材料から同厚かつ同幅
に形成されている。ダミー配線５１，５３には、発光素子に相当するものは接続されてい
ないし、ダミー配線５１，５３は上述した発光素子１４，１５の発光に寄与しない。ダミ
ー端子４１，４３は、上述した駆動回路（図示せず）と電気的に接続され、駆動回路から
ダミー端子４１，４３ひいてはダミー配線５１，５３には一定電位が常に与えられている
。この電位は、発光素子１４，１５を駆動するために、実装端子２１，２３に与えられる
電位と同じでもよいし、それと違っていてもよい。
【００３２】
ダミー配線５１は、複数の駆動配線３１が並べられた列の外に配置されて、駆動配線３
１に対して並ぶように基板１２上に配置されている。また、ダミー配線５３は、複数の駆
動配線３３が並べられた列の外に配置されて、駆動配線３３に対して並ぶように基板１２
上に配置されている。
【００３３】
一方のダミー配線５１は、これに最も近い駆動配線（駆動配線群３０Ａの駆動配線３１
ａ）から、隣り合う駆動配線３１同士の間隔と等しい間隔をおいて配置され、他方のダミ
ー配線５１は、これに最も近い駆動配線（駆動配線群３０Ｎの駆動配線３１ｎ）から、隣
り合う駆動配線３１同士の間隔と等しい間隔をおいて配置されている。一方のダミー配線
５３は、これに最も近い駆動配線（駆動配線群３２Ａの駆動配線３３ａ）から、隣り合う
駆動配線３３同士の間隔と等しい間隔をおいて配置され、他方のダミー配線５３は、これ
に最も近い駆動配線（駆動配線群３２Ｎの駆動配線３３ｎ）から、隣り合う駆動配線３３
同士の間隔と等しい間隔をおいて配置されている。
【００３４】
より具体的には、ダミー配線５１，５３の各々は、駆動配線３１，３３の平行部分と平
行で真っ直ぐな平行部分と、ダミー端子４１，４３側にある真っ直ぐな間隔変化部分を有
する。ダミー配線５１，５３の各々の平行部分と、そのダミー配線に最も近い駆動配線３
１または３３の平行部分の間隔は、隣り合う駆動配線の平行部分同士の間隔と等しい。ダ
ミー配線の間隔変化部分と駆動配線３１または３３の間隔変化部分の間隔は、基板１２の
長い側端からの距離により変化するとはいえ、基板１２の長い側端から一定距離にある直
線上で計ったダミー配線の間隔変化部分とそのダミー配線に最も近い駆動配線の間隔変化
部分の間隔は、その直線上で計った駆動配線同士の間隔変化部分の間隔に等しい。
【００３５】
図３は、比較例の発光装置での配線群の詳細を示す平面図であり、ここでは、共通陰極
１６および封止体１８が形成されていない状態を示す。この比較例では、ダミー端子４１
，４３およびダミー配線５１，５３は設けられていないが、他の構成要素は、図２の発光
装置１０と同様である。
【００３６】
図４は、発光装置１０における発光素子１４に関連する配線群の等価回路を示す。発光
装置１０における発光素子１５に関連する配線群の等価回路もこれと同様である。図５は
図３の比較例の発光装置における発光素子１４に関連する配線群の等価回路を示す。比較
例における発光素子１５に関連する配線群の等価回路もこれと同様である。図４または図
５に示すように、各発光素子１４には、対応する実装端子２１および駆動配線３１から駆
動信号としての高電位が供給される。例えば、端にある発光素子１４ａには、端子群２０
Ａの実装端子２１ａおよび駆動配線群３０Ａの駆動配線３１から駆動信号としての高電位
が供給される。各発光素子１４は、共通陰極１６を介して、低電位を供給する実装端子２
６，２７に接続されている。
【００３７】
図４および図５において、抵抗器の記号は抵抗器ではなく駆動配線３１またはダミー配
線５１自体の抵抗を表し、キャパシタの記号はキャパシタではなく隣り合う配線間に発生
する寄生容量を表す。駆動配線３１の各々およびこれに隣合う駆動配線３１の間には寄生
容量が発生する（実際には、すべての配線の間に寄生容量が発生するが、図では隣り合う
配線間の寄生容量のみを示す）。この寄生容量は、駆動配線３１を流れる電流の遅れ特性
ひいては発光素子１４の発光遅れ特性に影響する。
【００３８】
図５に示すように、ダミー端子４１，４３およびダミー配線５１，５３がない場合には
、駆動配線３１の列のうち端にある駆動配線は他の駆動配線による寄生容量から受ける影
響が小さい。つまり、駆動配線群３０Ａの駆動配線３１ａは他の駆動配線３１ｂ，３１ｃ
，．．．による寄生容量から受ける影響が小さく、駆動配線群３０Ｎの駆動配線３１ｎは
他の駆動配線３１ｎ−１，３１ｎ−２，．．．による寄生容量から受ける影響が小さい。
これに対して、端にない駆動配線（例えば駆動配線３１ｂ）は他の駆動配線（例えば駆動
配線３１ａ，３１ｃ，．．．）による寄生容量の影響が大きい。従って、駆動配線群３０
Ａの駆動配線３１ａに対応する発光素子１４ａおよび駆動配線群３０Ｎの駆動配線３１ｎ
に対応する発光素子１４ｎは、他の発光素子と異なる発光遅れ特性を呈する。これについ
て、図６を参照しながら説明する。
【００３９】
図６は、図３の比較例の発光装置における実装端子２１に供給される入力電流の経時変
化と、図３の比較例における発光素子１４が発する光パワーの経時変化の関係を示すグラ
フである。特性Ａは、駆動配線３１の列のうち端にない駆動配線に接続された発光素子が
発する光パワー（W/m２）の経時変化であり、特性Ｂは、駆動配線３１の列のうち端にあ
る駆動配線（駆動配線群３０Ａの駆動配線３１ａまたは駆動配線群３０Ｎの駆動配線３１
ｎ）に接続された発光素子が発する光パワーの経時変化である。図示のように、実装端子
２１には、矩形波形の入力電流Ｉが供給される。しかし、駆動配線３１には元々抵抗があ
り、隣り合う配線間には寄生容量があるため、これらの抵抗および寄生容量が時定数とし
て作用するため、発光素子１４の発光には遅れが生ずる。特性Ａ，Ｂの比較により明らか
なように、駆動配線３１の列のうち端にある駆動配線に接続された発光素子の光パワーは
、他の駆動配線に接続された発光素子よりも早く、最大パワーＰmaxに達し、その後、早
く下降する。これは寄生容量による遅れが、端にある駆動配線に接続された発光素子では
他の発光素子よりも小さいためである。
【００４０】
Ｐthは、この発光装置を潜像書き込み器として用いる電子写真方式の画像印刷装置の像
担持体（例えば感光体ドラム）の感光体の露光閾値である。具体的には、露光閾値Ｐth（
W/m２）以上の光パワーが与えられると、感光体に静電潜像を形成することが可能である
。また、感光体では、与えられた単位面積あたりの光エネルギ（W/m２）に応じて、帯電
電荷が変化する。ここでいう単位面積あたりの光エネルギは、露光閾値Ｐth以上の光パワ
ーの時間の積分値で定義され、図６の特性Ａ，Ｂの各グラフでの斜線部分の面積に相当す
る。特性Ａのグラフ（端にない発光素子の光パワー変化）の斜線部分の面積（単位面積あ
たりの光エネルギ）ＥＡと特性Ｂのグラフ（端にある発光素子の光パワー変化）の斜線部
分の面積（単位面積あたりの光エネルギ）ＥＢは異なるので、感光体における帯電電荷も
異なる。従って、両端と他の部分では、潜像ひいては顕像において品質が異なる。
【００４１】
このような発光素子の位置による光パワーのバラツキは、さらに別の問題を引き起こす
。これについて詳述する。発光装置の発光素子には製造バラツキがあるため、図７に示す
ように入出力特性にバラツキが生ずることがある。図７から明らかなように、同じ入力電
流Ｉに対して、ある発光素子は高い光パワーＰ１を放出し（線Ｌ１）、ある発光素子は低
い光パワーＰ２を放出する（線Ｌ２）ことがある。
【００４２】
図８は、図７に入出力特性が示された二つの発光素子が発する光パワーの経時変化を示
すグラフである。特性Ｌ１は、矩形波形の入力電流Ｉが持続時間ｔ供給されたときの図７
の線Ｌ１に対応する発光素子が発する光パワーの経時変化であり、特性Ｌ２は、矩形波形
の入力電流Ｉが持続時間ｔ供給されたときの図７の線Ｌ２に対応する発光素子が発する光
パワーの経時変化である。同じ入力電流Ｉに対して、特性Ｌ１では、発光素子の放出する
光パワーはＰ１であるのに対して、特性Ｌ２では、発光素子の放出する光パワーはＰ２に
過ぎない。従って、特性Ｌ２のグラフでの斜線部分の面積つまり線Ｌ２に対応する発光素
子が感光体に与える単位面積あたりの光エネルギＥ２は、特性Ｌ１のグラフでの斜線部分
の面積つまり線Ｌ１に対応する発光素子が感光体に与える単位面積あたりの光エネルギＥ
１よりも小さい。このことは、感光体における帯電電荷のバラツキひいては像の品質のバ
ラツキの原因になる。
【００４３】
光エネルギＥ１，Ｅ２のいずれもが目標エネルギＥ０に満たない場合には、線Ｌ１に対
応する発光素子の駆動時間（入力電流Ｉを供給する時間）をｔ１に延長し、線Ｌ２に対応
する発光素子の駆動時間をさらにｔ２に延長する補正をすることが考えられる。図８の特
性Ｌ１（補正後）および特性Ｌ２（補正後）は、線Ｌ１，Ｌ２にそれぞれ対応する発光素
子の駆動時間をこのように補正したときの発光素子が発する光パワーの経時変化である。
補正後の光エネルギＥ１ａ，Ｅ２ａは、目標エネルギＥ０と同等である。駆動時間の補正
は、あらかじめ発光素子から得られる光エネルギを測定しておき、測定された光エネルギ
が目標エネルギＥ０に一致するように、駆動時間を補正する補正係数を算出しておけばよ
い。
【００４４】
図８を参照しながら上述した補正は、複数の発光素子の入力電流に対する発光の遅れが
一様である場合には、有効である。しかし、図４から図６を参照しながら説明したように
、発光素子の位置によって、他の配線から受ける寄生容量の相違に起因する発光の遅れが
存在する。仮に、図３の比較例の発光装置で端にある発光素子の定常パワーが低い光パワ
ーＰ２であって、端にない発光素子の定常パワーが高い光パワーＰ１である場合には、図
８のグラフは図９のように書き換えることができる。図９において特性Ｌ１のグラフは図
８と変わらないが、特性Ｌ２のグラフは、端にある発光素子は、寄生容量による遅れが他
の発光素子よりも小さいため、その発光素子の光パワーの上昇も下降も早いことを示す。
【００４５】
この場合、図８の場合と同様に、線Ｌ１に対応する発光素子の駆動時間（入力電流Ｉを
供給する時間）をｔ１に延長し、線Ｌ２に対応する発光素子の駆動時間をさらにｔ２に延
長する補正を行ったとしても、補正後の光エネルギＥ２ａは目標エネルギＥ０と一致しな
い。補正後の光エネルギＥ１ａだけが目標エネルギＥ０と一致する。逆に、図３の比較例
の発光装置で端にある発光素子の定常パワーが高い光パワーＰ１であって、端にない発光
素子の定常パワーが低い光パワーＰ２である場合には、同様に補正したとしても、補正後
の光エネルギＥ２ａだけが目標エネルギＥ０と一致することになる。発光素子の定常発光
パワーの相違および発光素子の位置による発光の遅れの相違を考慮して補正係数をあらか
じめ求めることも考えられるが、それでは補正係数の数が増加し、制御系統または制御方
法が極めて複雑になる。
【００４６】
図１０は、この実施の形態に係る発光装置１０における実装端子２１に供給される入力
電流の経時変化と、この実施の形態に係る発光装置１０における発光素子１４が発する光
パワーの経時変化の関係を示すグラフである。特性Ａは、駆動配線３１の列のうち端にな
い駆動配線に接続された発光素子が発する光パワー（W/m２）の経時変化であり、特性Ｂ
は、駆動配線３１の列のうち端にある駆動配線（駆動配線群３０Ａの駆動配線３１ａまた
は駆動配線群３０Ｎの駆動配線３１ｎ）に接続された発光素子が発する光パワーの経時変
化である。図示のように、実装端子２１には、矩形波形の入力電流Ｉが供給される。
【００４７】
図１０の特性Ａ，Ｂの比較により明らかなように、この実施の形態では、駆動配線３１
の列のうち端にある駆動配線に接続された発光素子の光パワーは、端にない駆動配線に接
続された発光素子の光パワーとほぼ同様に上昇しほぼ同時に最大パワーＰmaxに達し、ほ
ぼ同様に下降する。これは寄生容量による遅れが、端にある駆動配線に接続された発光素
子と、他の発光素子とほぼ同様であるためである。この理由について以下に説明する。
【００４８】
この実施の形態によれば、図２および図４に示すように、発光素子１４，１５の発光に
寄与しないダミー配線５１，５３が、駆動配線３１または３３の列の外に配置されて、駆
動配線３１または３３に対して並ぶように基板１２上に配置されている。駆動配線３１ま
たは３３の列のうち、端にある駆動配線（駆動配線群３０Ａの駆動配線３１ａ、駆動配線
群３０Ｎの駆動配線３１ｎ、駆動配線群３２Ａの駆動配線３３ａ、または駆動配線群３２
Ｎの駆動配線３３ｎ）は他の駆動配線だけでなくダミー配線５１または５３による寄生容
量から影響を受け、この影響は、端にない駆動配線が他の駆動配線による寄生容量から受
ける影響と近似する。
【００４９】
また、駆動配線３１または３３はほぼ等間隔で並べられ、ダミー配線５１または５３は
これに最も近い駆動配線３１または３３（駆動配線群３０Ａの駆動配線３１ａ、駆動配線
群３０Ｎの駆動配線３１ｎ、または駆動配線群３２Ａの駆動配線３３ａ、駆動配線群３２
Ｎの駆動配線３３ｎ）から駆動配線３１または３３同士の間隔とほぼ等しい間隔をおいて
配置されている。「等しい間隔」の意味は上述の通りである。駆動配線３１または３３は
ほぼ等間隔で並べられているので、端にない一つの駆動配線３１または３３がその隣の二
つの駆動配線３１または３３から受ける寄生容量の影響は、端にない他の一つの駆動配線
３１または３３がその隣の二つの駆動配線３１または３３から受ける寄生容量の影響と、
ほぼ等しい。ダミー配線５１または５３とこれに最も近い駆動配線３１または３３、つま
り端にある駆動配線（駆動配線群３０Ａの駆動配線３１ａ、駆動配線群３０Ｎの駆動配線
３１ｎ、駆動配線群３２Ａの駆動配線３３ａ、または駆動配線群３２Ｎの駆動配線３３ｎ
）の間隔を、駆動配線３１または３３同士の間隔とほぼ等しくすることにより、端にある
駆動配線（駆動配線群３０Ａの駆動配線３１ａ、駆動配線群３０Ｎの駆動配線３１ｎ、駆
動配線群３２Ａの駆動配線３３ａ、または駆動配線群３２Ｎの駆動配線３３ｎ）がその隣
の駆動配線３１または３３とダミー配線５１または５３から受ける寄生容量の影響は、端
にない一つの駆動配線３１または３３がその隣の二つの駆動配線３１または３３から受け
る寄生容量の影響と、ほぼ等しい。従って、多数の発光素子１４，１５の発光遅れ特性を
位置にかかわらず均等化することができる。特に端にある発光素子（駆動配線群３０Ａの
駆動配線３１ａに対応する発光素子１４ａ、駆動配線群３０Ｎの駆動配線３１ｎに対応す
る発光素子１４ｎ、駆動配線群３２Ａの駆動配線３３ａに対応する発光素子１５ａ、駆動
配線群３２Ｎの駆動配線３３ｎに対応する発光素子１５ｎ）と他の発光素子の発光遅れ特
性をできるだけ均等化することができる。
【００５０】
従って、図７を参照して上述したように発光素子に製造バラツキに起因する出力光パワ
ーのバラツキがあったとしても、例えば図８を参照して上述した補正を行うことによって
、補正後の光エネルギＥ１ａ，Ｅ２ａを目標エネルギＥ０と同等にすることが可能である
。このようにして、画像印刷装置で得られる像の両端と他の部分との品質の相違を相殺す
ることが可能である。図９を参照して上述した不具合は防止される。この場合、補正係数
は、発光素子の定常発光パワーの相違に応じて決定され、発光素子の位置による発光の遅
れの相違にはよらないので、補正係数の数を増加させなくてよい。従って、制御系統また
は制御方法を複雑にしなくてもよい。
【００５１】
＜第２の実施の形態＞
図１１は、本発明の第２の実施の形態に係る発光装置１０Ａでの配線群の詳細を示す平
面図である。第２の実施の形態に係る発光装置１０Ａの概略は図１と同様であり、図１１
では、共通陰極１６および封止体１８が形成されていない状態を示す。
【００５２】
第２の実施の形態に係る発光装置１０Ａは、第１の実施の形態の発光装置１０の特徴に
加えて、ダミー素子５４，５５を有する。ダミー素子５４は、複数の発光素子１４が並べ
られた列の外に配置されて、発光素子１４に対して並ぶように基板１２上に配置され、ダ
ミー素子５５は、複数の発光素子１５が並べられた列の外に配置されて、発光素子１５に
対して並ぶように基板１２上に配置されている。ダミー配線５１，５３がそれぞれダミー
素子５４，５５に電気的に接続されている。
【００５３】
ダミー素子５４，５５は、発光素子１４，１５と同じ構造を有する。詳細な図示は省略
するが、より具体的には、ダミー素子５４，５５の各々は、陽極、陰極およびこれらに挟
まれた発光機能層を有する。この実施の形態では、ダミー素子５４，５５の各々が独立し
た陽極を有しており、その陽極にダミー配線５１または５３が接している。ダミー素子５
４，５５の陰極は、発光素子１４，１５の共通陰極１６（図１参照）である。ダミー素子
５４，５５の図示しない陽極は、発光素子１４，１５の陽極と同じ大きさであり、共通陰
極１６よりも基板１２に近い層に形成されている。つまり、図１の紙面垂直方向の最も奥
に基板１２があり、それよりも手前にダミー素子５４，５５および発光素子１４，１５の
陽極があり、その手前にダミー素子５４，５５および発光素子１４，１５の発光機能層が
あり、その手前に共通陰極１６がある。
【００５４】
この実施の形態で、ダミー端子４１，４３は、上述した駆動回路（図示せず）と電気的
に接続され、駆動回路からダミー端子４１，４３ひいてはダミー素子５４，５５には一定
の電位が常に与えられている。この電位は、ダミー素子５４，５５が発光しない程度の低
い電位であり、例えばグラウンド電位でもよい。従って、ダミー素子５４，５５には一定
電位が与えられるが、駆動信号は供給されない。
【００５５】
図１２は、発光装置１０Ａにおける発光素子１４に関連する配線群の等価回路を示す。
発光装置１０Ａにおける発光素子１５に関連する配線群の等価回路もこれと同様である。
駆動配線３１の各々およびこれに隣合う駆動配線３１の間には寄生容量が発生する（実際
には、すべての配線の間に寄生容量が発生するが、図では隣り合う配線間の寄生容量のみ
を示す）。この寄生容量は、駆動配線３１を流れる電流ひいては発光素子１４の発光遅れ
特性に影響する。また、駆動配線３１の列のうち、端にある駆動配線（駆動配線群３０Ａ
の駆動配線３１ａ、駆動配線群３０Ｎの駆動配線３１ｎ）は他の駆動配線だけでなくダミ
ー配線５１による寄生容量から影響を受け、この影響は、端にない駆動配線が他の駆動配
線による寄生容量から受ける影響と近似する。
【００５６】
さらに、発光素子１４の各々およびこれに隣合う発光素子１４の間にも寄生容量が発生
する。ダミー素子５４がない場合には、発光素子１４の列のうち、端にある発光素子１４
は他の発光素子１４による寄生容量から受ける影響が小さいのに対して、端にない発光素
子１４は他の発光素子１４による寄生容量の影響が大きい。つまり、ダミー素子がない場
合、駆動配線群３０Ａの駆動配線３１ａに対応する発光素子１４ａは他の発光素子１４ｂ
，１４ｃ，．．．による寄生容量から受ける影響が小さく、駆動配線群３０Ｎの駆動配線
３１ｎに対応する発光素子１４ｎは他の発光素子１４ｎ−１，１４ｎ−２，．．．による
寄生容量から受ける影響が小さい。これに対して、端にない発光素子（例えば発光素子１
４ｂ）は他の発光素子（例えば発光素子１４ａ，１４ｃ，．．．）による寄生容量の影響
が大きい。
【００５７】
これに対して、この実施の形態では、ダミー素子５４または５５が、発光素子１４また
は１５の列の外に配置されて、発光素子１４または１５に対して並ぶように基板１２上に
配置されることにより、発光素子１４または１５の列のうち、端にある発光素子１４また
は１５は他の発光素子１４または１５だけでなくダミー素子５４または５５による寄生容
量から影響を受ける。例えば、駆動配線群３０Ａの駆動配線３１ａに対応する発光素子１
４ａは他の発光素子１４ｂ，１４ｃ，．．．による寄生容量だけでなく隣のダミー素子５
４による寄生容量から影響を受け、駆動配線群３０Ｎの駆動配線３１ｎに対応する発光素
子１４ｎは他の発光素子１４ｎ−１，１４ｎ−２，．．．による寄生容量だけでなく隣の
ダミー素子５４による寄生容量から影響を受ける、この影響は、端にない発光素子１４ま
たは１５が他の発光素子１４または１５による寄生容量から受ける影響と近似する。
【００５８】
従って、第１の実施の形態に関連して上述した効果に加えて、さらに発光素子１４また
は１５の発光遅れ特性を均等化することができる。また、図７を参照して上述したように
発光素子に製造バラツキに起因する出力光パワーのバラツキがあったとしても、例えば図
８を参照して上述した補正を行うことによって、補正後の光エネルギＥ１ａ，Ｅ２ａを目
標エネルギＥ０と同等にすることが可能である。
【００５９】
＜第３の実施の形態＞
図１３は、本発明の第３の実施の形態に係る発光装置１０Ｂでの配線群の詳細を示す平
面図である。第３の実施の形態に係る発光装置１０Ｂの概略は図１と近似しており、図１
３では、共通陰極１６および封止体１８が形成されていない状態を示す。
【００６０】
第３の実施の形態に係る発光装置１０Ｂは、第２の実施の形態の発光装置１０Ａの特徴
に加えて、より多数のダミー端子４１，４３およびより多数のダミー配線５１，５３を備
える。これらのダミー端子４１，４３は、実装端子の群（端子群２０Ａ，２０Ｂ，．．．
２０Ｎ，２２Ａ，２２Ｂ，．．．２２Ｎ）の各々の外の両側に、実装端子２１，２３に対
して並ぶように、基板１２上に配置されている。ダミー配線５１，５３は、実装端子の群
（端子群２０Ａ，２０Ｂ，．．．２０Ｎ，２２Ａ，２２Ｂ，．．．２２Ｎ）に対応する駆
動配線の群（駆動配線群３０Ａ，３０Ｂ，．．．３０Ｎ，３２Ａ，３２Ｂ，．．．３２Ｎ
）の各々の外の両側に、駆動配線３１，３３に対して並ぶように、基板１２上に配置され
ている。
【００６１】
ダミー端子４１，４３は、実装端子２１，２３と同じ導電材料から同厚、同形かつ同大
に形成され、基板１２の長手方向に対して垂直に延びている。ダミー端子４１は、これに
最も近い実装端子２１ａまたは２１ｎから実装端子２１同士の間隔と等しい間隔をおいて
配置され、ダミー端子４３は、これに最も近い実装端子２３ａまたは２３ｎから実装端子
２３同士の間隔と等しい間隔をおいて配置されている。
【００６２】
ダミー配線５１，５３は、駆動配線３１，３３と同じ導電材料から同厚かつ同幅に形成
されている。ダミー配線５１，５３のうちダミー素子５４，５５に接続されたもの（図の
左右端にあるもの）は、第１および第２の実施の形態と同様に、駆動配線３１，３３の平
行部分と平行で真っ直ぐな平行部分と、ダミー端子４１，４３側にある真っ直ぐな間隔変
化部分を有する。他のダミー配線５１，５３は間隔変化部分のみを有する。基板１２の長
い側端から一定距離にある直線上で計ったダミー配線の間隔変化部分とそのダミー配線に
最も近い駆動配線の間隔変化部分の間隔は、その直線上で計った駆動配線同士の間隔変化
部分の間隔に等しい。
【００６３】
これらのダミー配線５１，５３は、ダミー端子４１，４３にそれぞれ電気的に接続され
ている。ダミー端子４１，４３は、上述した駆動回路（図示せず）と電気的に接続され、
駆動回路からダミー端子４１，４３ひいてはダミー配線５１，５３には一定電位が与えら
れている。この電位は、発光素子１４，１５を駆動するために、実装端子２１，２３に与
えられる電位と同じでもよいし、それと違っていてもよい。第２の実施の形態に関連して
上述したように、ダミー素子５４，５５が接続されたダミー端子４１，４３には、ダミー
素子５４，５５が発光しない程度の低い電位、例えばグラウンド電位が供給される。
【００６４】
基板１２上に配置された端子群２０Ａ，２０Ｂ，．．．２０Ｎ，２２Ａ，２２Ｂ，．．
．２２Ｎは大きい間隔をおいて互いに離間し、端子群２０Ａ，２０Ｂ，．．．２０Ｎ，２
２Ａ，２２Ｂ，．．．２２Ｎの各々内では小さい間隔で実装端子２１，２３が並べられて
いる。端子群２０，２２の各々の幅（その端子群内の実装端子２１ａと２１ｎの間隔また
は実装端子２３ａと２３ｎの間隔）は、その端子群に対応する発光素子１４ａと１４ｎの
間隔または発光素子１５ａと１５ｎの間隔よりも小さい。このため、駆動配線群３０の各
々では、駆動配線３１ａ〜３１ｎの間隔は、実装端子２１ひいては基板１２の端縁に近い
ほど小さく、発光素子１４ひいては基板１２の中央に近いほど大きい。駆動配線群３２の
各々では、駆動配線３３ａ〜３３ｎの間隔は、実装端子２３ひいては基板１２の端縁に近
いほど小さく、発光素子１５ひいては基板１２の中央に近いほど大きい。
【００６５】
従って、ダミー端子４１，４３およびダミー配線５１，５３がない場合には、駆動配線
群３０Ａ，３０Ｂ，．．．３０Ｎ，３２Ａ，３２Ｂ，．．．３２Ｎの各々の端にある駆動
配線３１ａ，３１ｎ，３３ａ，３３ｎと他の駆動配線３１ｂ〜３１ｎ−１，３３ｂ〜３３
ｎ−１は、他の駆動配線によって生ずる寄生容量から受ける影響が異なる。しかし、この
実施の形態では、端子群２０，２２の各々の両側にダミー端子４１または４３が設けられ
、駆動配線群３０，３２の各々の両側にダミー配線５１または５３が設けられているので
、駆動配線群３０，３２の各々の端にある駆動配線３１ａ，３１ｎ，３３ａ，３３ｎと他
の駆動配線３１ｂ〜３１ｎ−１，３３ｂ〜３３ｎ−１の条件が近似し、発光素子１４，１
５の発光遅れ特性を均等化することができる。特に駆動配線群３０，３２の各々の端にあ
る駆動配線３１ａ，３１ｎ，３３ａ，３３ｎに対応する発光素子１４ａ，１４ｎ，１５ａ
，１５ｎと他の発光素子の発光遅れ特性をできるだけ均等化することができる。
【００６６】
以上のように、この実施の形態では、第２の実施の形態に関連して上述した効果に加え
て、さらに発光素子１４または１５の発光遅れ特性を均等化することができる。また、図
７を参照して上述したように発光素子に製造バラツキに起因する出力光パワーのバラツキ
があったとしても、例えば図８を参照して上述した補正を行うことによって、補正後の光
エネルギＥ１ａ，Ｅ２ａを目標エネルギＥ０と同等にすることが可能である。
【００６７】
＜第４の実施の形態＞
図１４は、本発明の第４の実施の形態に係る発光装置１０Ｃでの配線群の詳細を示す平
面図である。第４の実施の形態に係る発光装置１０Ｃの概略は図１と近似しており、図１
４では、共通陰極１６および封止体１８が形成されていない状態を示す。
【００６８】
第４の実施の形態に係る発光装置１０Ｃは、第３の実施の形態の発光装置１０Ｂの特徴
に加えて、より多数のダミー端子４１，４３、より多数のダミー配線５１，５３およびよ
り多数のダミー素子５４，５５を備える。具体的には、端子群２０の各々の外の両側に２
本ずつダミー端子４１が配置され、端子群２２の各々の外の両側に２本ずつダミー端子４
３が配置されている。片側の２本のダミー端子の間隔は、実装端子同士の間隔と等しい。
【００６９】
また、駆動配線群３０の各々の外の両側に２本ずつダミー配線５１が配置され、駆動配
線群３２の各々の外の両側に２本ずつダミー配線５３が配置されている。駆動配線３１の
列の外側（図の左右端の駆動配線３１の外側）にある４本のダミー配線５１には、それぞ
れダミー素子５４の陽極が接続されている。駆動配線３３の列の外側（図の左右端の駆動
配線３３の外側）にある４本のダミー配線５３には、それぞれダミー素子５５の陽極が接
続されている。ダミー素子５４，５５の陰極は、発光素子１４，１５の共通陰極１６（図
１参照）である。
【００７０】
駆動配線３１，３３の列の内側にあるダミー配線５１，５３は間隔変化部分のみを有す
る。基板１２の長い側端から一定距離にある直線上で計った隣り合うダミー配線の間隔は
、その直線上で計った駆動配線同士の間隔変化部分の間隔に等しい。
【００７１】
これらのダミー配線５１，５３は、ダミー端子４１，４３にそれぞれ電気的に接続され
ている。ダミー端子４１，４３は、上述した駆動回路（図示せず）と電気的に接続され、
駆動回路からダミー端子４１，４３ひいてはダミー配線５１，５３には一定電位が与えら
れている。この電位は、発光素子１４，１５を駆動するために、実装端子２１，２３に与
えられる電位と同じでもよいし、それと違っていてもよい。第２の実施の形態に関連して
上述したように、ダミー素子５４，５５が接続されたダミー端子４１，４３には、ダミー
素子５４，５５が発光しない程度の低い電位、例えばグラウンド電位が供給される。
【００７２】
駆動配線３１，３３の列内で各駆動配線３１，３３は最も近い他の駆動配線から最も大
きな寄生容量の影響を受けるが、さらに他の駆動配線からも寄生容量の影響を受ける。例
えば、駆動配線３１ｃは、駆動配線３１ｂ，３１ｄから最も影響を受けるが、駆動配線３
１ａ，３１ｄ〜３１ｎからも影響を受ける。駆動配線３１ａは、駆動配線３１ｂから最も
影響を受けるが、駆動配線３１ｃ〜３１ｎからも影響を受ける。従って、ダミー配線５１
，５３がない場合には、各駆動配線群３０，３２の中で端にある駆動配線３１ａ，３１ｎ
，３３ａ，３３ｎと他の駆動配線３１ｂ〜３１ｎ−１，３３ｂ〜３３ｎ−１では、受ける
寄生容量の影響が異なる。これに対して、各駆動配線の両側に複数本ずつ他の配線があれ
ば、すべての駆動配線に与えられる寄生容量の影響は均等化され、発光素子の発光遅れ特
性も均等化される。
【００７３】
この実施の形態では、各駆動配線群３０の外の両側に、複数のダミー配線５１を配置し
、各駆動配線群３２の列の外の両側に、複数のダミー配線５３を配置することにより、ダ
ミー配線５１，５３に最も近い端にある駆動配線３１ａ，３１ｎ，３３ａ，３３ｎと他の
駆動配線３１ｂ〜３１ｎ−１，３３ｂ〜３３ｎ−１の条件が近似する。また、発光素子１
４，１５の列の外の両側に、ダミー素子５４，５５を配置したので、ダミー素子５４，５
５に最も近い端にある発光素子（端子群２０Ａの実装端子２１ａに対応する発光素子１４
ａ，端子群２０Ｎの実装端子２１ｎに対応する発光素子１４ｎ，端子群２２Ａの実装端子
２３ａに対応する発光素子１５ａ，端子群２２Ｎの実装端子２３ｎに対応する発光素子１
５ｎ）と他の発光素子の条件が近似する。従って、発光素子１４，１５の発光遅れ特性を
均等化することができる。
【００７４】
以上のように、この実施の形態では、第３の実施の形態に関連して上述した効果に加え
て、さらに発光素子１４または１５の発光遅れ特性を均等化することができる。また、図
７を参照して上述したように発光素子に製造バラツキに起因する出力光パワーのバラツキ
があったとしても、例えば図８を参照して上述した補正を行うことによって、補正後の光
エネルギＥ１ａ，Ｅ２ａを目標エネルギＥ０と同等にすることが可能である。
【００７５】
以上の実施の形態から理解できるように、ダミー端子、ダミー配線およびダミー素子の
数は、基板１２の面積および形状ならびに他の構成要素の配置により制約されるが、任意
である。また、ダミー端子、ダミー配線およびダミー素子の位置は、上述した実施の形態
に限定されず、本発明の効果が発揮できる範囲で変更することが可能である。
【００７６】
＜画像印刷装置＞
上述したように、発光装置１０，１０ａ，１０ｂ，１０ｃは、電子写真方式を利用した
画像印刷装置における像担持体に潜像を書き込むためのライン型の光ヘッドとして用いる
ことが可能である。画像印刷装置の例としては、プリンタ、複写機の印刷部分およびファ
クシミリの印刷部分がある。
【００７７】
図１５は、発光装置１０，１０ａ，１０ｂ，１０ｃのいずれかをライン型の光ヘッドと
して用いた画像印刷装置の一例を示す縦断面図である。この画像印刷装置は、ベルト中間
転写体方式を利用したタンデム型のフルカラー画像印刷装置である。
【００７８】
この画像印刷装置では、同様な構成の４個の有機ＥＬアレイ露光ヘッド１０Ｋ，１０Ｃ
，１０Ｍ，１０Ｙが、同様な構成である４個の感光体ドラム（像担持体）１１０Ｋ，１１
０Ｃ，１１０Ｍ，１１０Ｙの露光位置にそれぞれ配置されている。有機ＥＬアレイ露光ヘ
ッド１０Ｋ，１０Ｃ，１０Ｍ，１０Ｙは上述した発光装置１０，１０ａ，１０ｂ，１０ｃ
のいずれかである。
【００７９】
図１５に示すように、この画像印刷装置には、駆動ローラ１２１と従動ローラ１２２が
設けられており、これらのローラ１２１，１２２には無端の中間転写ベルト１２０が巻回
されて、矢印に示すようにローラ１２１，１２２の周囲を回転させられる。図示しないが
、中間転写ベルト１２０に張力を与えるテンションローラなどの張力付与手段を設けても
よい。
【００８０】
この中間転写ベルト１２０の周囲には、互いに所定間隔をおいて４個の外周面に感光層
を有する感光体ドラム１１０Ｋ，１１０Ｃ，１１０Ｍ，１１０Ｙが配置される。添え字Ｋ
，Ｃ，Ｍ，Ｙはそれぞれ黒、シアン、マゼンタ、イエローの顕像を形成するために使用さ
れることを意味している。他の部材についても同様である。感光体ドラム１１０Ｋ，１１
０Ｃ，１１０Ｍ，１１０Ｙは、中間転写ベルト１２０の駆動と同期して回転駆動される。
【００８１】
各感光体ドラム１１０（Ｋ，Ｃ，Ｍ，Ｙ）の周囲には、コロナ帯電器１１１（Ｋ，Ｃ，
Ｍ，Ｙ）と、有機ＥＬアレイ露光ヘッド１０（Ｋ，Ｃ，Ｍ，Ｙ）と、現像器１１４（Ｋ，
Ｃ，Ｍ，Ｙ）が配置されている。コロナ帯電器１１１（Ｋ，Ｃ，Ｍ，Ｙ）は、対応する感
光体ドラム１１０（Ｋ，Ｃ，Ｍ，Ｙ）の外周面を一様に帯電させる。有機ＥＬアレイ露光
ヘッド１０（Ｋ，Ｃ，Ｍ，Ｙ）は、感光体ドラムの帯電させられた外周面に静電潜像を書
き込む。各有機ＥＬアレイ露光ヘッド１０（Ｋ，Ｃ，Ｍ，Ｙ）は、複数のＯＬＥＤ素子１
４の配列方向が感光体ドラム１１０（Ｋ，Ｃ，Ｍ，Ｙ）の母線（主走査方向）に沿うよう
に設置される。静電潜像の書き込みは、上記の複数のＯＬＥＤ素子１４により光を感光体
ドラムに照射することにより行う。現像器１１４（Ｋ，Ｃ，Ｍ，Ｙ）は、静電潜像に現像
剤としてのトナーを付着させることにより感光体ドラムに顕像すなわち可視像を形成する
。
【００８２】
このような４色の単色顕像形成ステーションにより形成された黒、シアン、マゼンタ、
イエローの各顕像は、中間転写ベルト１２０上に順次一次転写されることにより、中間転
写ベルト１２０上で重ね合わされて、この結果フルカラーの顕像が得られる。中間転写ベ
ルト１２０の内側には、４つの一次転写コロトロン（転写器）１１２（Ｋ，Ｃ，Ｍ，Ｙ）
が配置されている。一次転写コロトロン１１２（Ｋ，Ｃ，Ｍ，Ｙ）は、感光体ドラム１１
０（Ｋ，Ｃ，Ｍ，Ｙ）の近傍にそれぞれ配置されており、感光体ドラム１１０（Ｋ，Ｃ，
Ｍ，Ｙ）から顕像を静電的に吸引することにより、感光体ドラムと一次転写コロトロンの
間を通過する中間転写ベルト１２０に顕像を転写する。
【００８３】
最終的に画像を形成する対象としてのシート１０２は、ピックアップローラ１０３によ
って、給紙カセット１０１から１枚ずつ給送されて、駆動ローラ１２１に接した中間転写
ベルト１２０と二次転写ローラ１２６の間のニップに送られる。中間転写ベルト１２０上
のフルカラーの顕像は、二次転写ローラ１２６によってシート１０２の片面に一括して二
次転写され、定着部である定着ローラ対１２７を通ることでシート１０２上に定着される
。この後、シート１０２は、排紙ローラ対１２８によって、装置上部に形成された排紙カ
セット上へ排出される。
【００８４】
次に、本発明に係る画像印刷装置の他の実施の形態について説明する。
図１６は、発光装置１０，１０ａ，１０ｂ，１０ｃのいずれかをライン型の光ヘッドと
して用いた他の画像印刷装置の縦断面図である。この画像印刷装置は、ベルト中間転写体
方式を利用したロータリ現像式のフルカラー画像印刷装置である。図１６に示す画像印刷
装置において、感光体ドラム（像担持体）１６５の周囲には、コロナ帯電器１６８、ロー
タリ式の現像ユニット１６１、有機ＥＬアレイ露光ヘッド１６７、中間転写ベルト１６９
が設けられている。
【００８５】
コロナ帯電器１６８は、感光体ドラム１６５の外周面を一様に帯電させる。有機ＥＬア
レイ露光ヘッド１６７は、感光体ドラム１６５の帯電させられた外周面に静電潜像を書き
込む。有機ＥＬアレイ露光ヘッド１６７は、上述した発光装置１０，１０ａ，１０ｂ，１
０ｃのいずれかであり、複数のＯＬＥＤ素子１４の配列方向が感光体ドラム１６５の母線
（主走査方向）に沿うように設置される。静電潜像の書き込みは、上記の複数のＯＬＥＤ
素子１４により光を感光体ドラムに照射することにより行う。
【００８６】
現像ユニット１６１は、４つの現像器１６３Ｙ，１６３Ｃ，１６３Ｍ，１６３Ｋが９０
°の角間隔をおいて配置されたドラムであり、軸１６１ａを中心にして反時計回りに回転
可能である。現像器１６３Ｙ，１６３Ｃ，１６３Ｍ，１６３Ｋは、それぞれイエロー、シ
アン、マゼンタ、黒のトナーを感光体ドラム１６５に供給して、静電潜像に現像剤として
のトナーを付着させることにより感光体ドラム１６５に顕像すなわち可視像を形成する。
【００８７】
無端の中間転写ベルト１６９は、駆動ローラ１７０ａ、従動ローラ１７０ｂ、一次転写
ローラ１６６およびテンションローラに巻回されて、これらのローラの周囲を矢印に示す
向きに回転させられる。一次転写ローラ１６６は、感光体ドラム１６５から顕像を静電的
に吸引することにより、感光体ドラムと一次転写ローラ１６６の間を通過する中間転写ベ
ルト１６９に顕像を転写する。
【００８８】
具体的には、感光体ドラム１６５の最初の１回転で、露光ヘッド１６７によりイエロー
（Ｙ）像のための静電潜像が書き込まれて現像器１６３Ｙにより同色の顕像が形成され、
さらに中間転写ベルト１６９に転写される。また、次の１回転で、露光ヘッド１６７によ
りシアン（Ｃ）像のための静電潜像が書き込まれて現像器１６３Ｃにより同色の顕像が形
成され、イエローの顕像に重なり合うように中間転写ベルト１６９に転写される。そして
、このようにして感光体ドラム９が４回転する間に、イエロー、シアン、マゼンタ、黒の
顕像が中間転写ベルト１６９に順次重ね合わせられ、この結果フルカラーの顕像が転写ベ
ルト１６９上に形成される。最終的に画像を形成する対象としてのシートの両面に画像を
形成する場合には、中間転写ベルト１６９に表面と裏面の同色の顕像を転写し、次に中間
転写ベルト１６９に表面と裏面の次の色の顕像を転写する形式で、フルカラーの顕像を中
間転写ベルト１６９上で得る。
【００８９】
画像印刷装置には、シートが通過させられるシート搬送路１７４が設けられている。シ
ートは、給紙カセット１７８から、ピックアップローラ１７９によって１枚ずつ取り出さ
れ、搬送ローラによってシート搬送路１７４を進行させられ、駆動ローラ１７０ａに接し
た中間転写ベルト１６９と二次転写ローラ１７１の間のニップを通過する。二次転写ロー
ラ１７１は、中間転写ベルト１６９からフルカラーの顕像を一括して静電的に吸引するこ
とにより、シートの片面に顕像を転写する。二次転写ローラ１７１は、図示しないクラッ
チにより中間転写ベルト１６９に接近および離間させられるようになっている。そして、
シートにフルカラーの顕像を転写する時に二次転写ローラ１７１は中間転写ベルト１６９
に当接させられ、中間転写ベルト１６９に顕像を重ねている間は二次転写ローラ１７１か
ら離される。
【００９０】
上記のようにして画像が転写されたシートは定着器１７２に搬送され、定着器１７２の
加熱ローラ１７２ａと加圧ローラ１７２ｂの間を通過させられることにより、シート上の
顕像が定着する。定着処理後のシートは、排紙ローラ対１７６に引き込まれて矢印Ｆの向
きに進行する。両面印刷の場合には、シートの大部分が排紙ローラ対１７６を通過した後
、排紙ローラ対１７６が逆方向に回転させられ、矢印Ｇで示すように両面印刷用搬送路１
７５に導入される。そして、二次転写ローラ１７１により顕像がシートの他面に転写され
、再度定着器１７２で定着処理が行われた後、排紙ローラ対１７６でシートが排出される
。
【００９１】
以上、発光装置１０，１０ａ，１０ｂ，１０ｃのいずれかを応用可能な画像印刷装置を
例示したが、他の電子写真方式の画像印刷装置にも発光装置１０，１０ａ，１０ｂ，１０
ｃのいずれかを応用することが可能であり、そのような画像印刷装置は本発明の範囲内に
ある。例えば、中間転写ベルトを使用せずに感光体ドラムから直接シートに顕像を転写す
るタイプの画像印刷装置や、モノクロの画像を形成する画像印刷装置にも発光装置１０，
１０ａ，１０ｂ，１０ｃのいずれかを応用することが可能である。
【００９２】
＜他の応用＞
本発明に係る発光装置は、さらに各種の露光装置および照明装置に応用することが可能
である。
【００９３】
＜変形例＞
本発明は上述した各実施形態に限定されるものではなく、例えば、以下に述べる変形が
可能である。
上述した各実施形態においては、発光素子１４，１５は、個別の陽極と共通陰極１６を
有するが、これに代えて、個別の陰極と共通陽極を有していてもよい。
【００９４】
上述した各実施形態においては、すべての発光素子１４，１５の陰極として単一の共通
陰極１６が設けられているが、複数の共通電極を設けて、それぞれの共通電極が異なる発
光素子１４，１５の陰極となるように配置してもよい。
【図面の簡単な説明】
【００９５】
【図１】本発明の第１の実施の形態に係る発光装置の概略を示す平面図である。
【図２】第１の実施の形態に係る発光装置での配線群の詳細を示す平面図である。
【図３】比較例の発光装置での配線群の詳細を示す平面図である。
【図４】第１の実施の形態に係る発光装置における配線群の等価回路を示す図である。
【図５】図３の比較例の発光装置における配線群の等価回路を示す図である。
【図６】図３の比較例の発光装置における実装端子に供給される入力電流の経時変化と、比較例における発光素子が発する光パワーの経時変化の関係を示すグラフである。
【図７】発光素子の入出力特性のバラツキを示すグラフである。
【図８】図７に示されるように入出力特性が異なる二つの発光素子が発する光パワーの経時変化を示すグラフである。
【図９】入出力特性および発光遅れ特性が異なる二つの発光素子が発する光パワーの経時変化を示すグラフである。
【図１０】第１の実施の形態に係る発光装置における実装端子に供給される入力電流の経時変化と、この実施の形態に係る発光装置における発光素子が発する光パワーの経時変化の関係を示すグラフである。
【図１１】本発明の第２の実施の形態に係る発光装置での配線群の詳細を示す平面図である。
【図１２】第２の実施の形態に係る発光装置における配線群の等価回路を示す図である。
【図１３】本発明の第３の実施の形態に係る発光装置での配線群の詳細を示す平面図である。
【図１４】本発明の第４の実施の形態に係る発光装置での配線群の詳細を示す平面図である。
【図１５】図１または図１０に示した発光装置を用いた画像印刷装置の一例を示す縦断面図である。
【図１６】図１または図１０に示した発光装置を用いた画像印刷装置の他の例を示す縦断面図である。
【符号の説明】
【００９６】
１０，１０Ａ，１０Ｂ，１０Ｃ…発光装置、１２…基板、１４，１５（１４ａ〜１４ｎ
，１５ａ〜１５ｎ）…発光素子、１６…共通陰極、１８…封止体、２０，２２（２０Ａ，
２０Ｂ，．．．２０Ｎ，２２Ａ，２２Ｂ，．．．２２Ｎ）…端子群、２１，２３（２１ａ
〜２１ｎ，２３ａ〜２３ｎ）…実装端子、３０，３２（３０Ａ，３０Ｂ，．．．３０Ｎ，
３２Ａ，３２Ｂ，．．．３２Ｎ）…駆動配線群、３１，３３（３１ａ〜３１ｎ，３３ａ〜
３３ｎ）…駆動配線、４１，４３…ダミー端子、５１，５３…ダミー配線、５４，５５…
ダミー素子。
【図１】
2007184125.tif 000003
【図２】
2007184125.tif 000004
【図３】
2007184125.tif 000005
【図４】
2007184125.tif 000006
【図５】
2007184125.tif 000007
【図６】
2007184125.tif 000008
【図７】
2007184125.tif 000009
【図８】
2007184125.tif 000010
【図９】
2007184125.tif 000011
【図１０】
2007184125.tif 000012
【図１１】
2007184125.tif 000013
【図１２】
2007184125.tif 000014
【図１３】
2007184125.tif 000015
【図１４】
2007184125.tif 000016
【図１５】
2007184125.tif 000017
【図１６】
2007184125.tif 000018